(57)【要約】【課題】組み立て性を向上させること。【解決手段】実施形態に係る吐水装置は、内部流路ユニットと、外郭部材と、挿入部材とを備える。内部流路ユニットは、内部流路が形成される。外郭部材は、内部流路ユニットが挿入され、内部流路ユニットの挿入方向に直交する断面が円形である内周壁を有する。挿入部材は、挿入方向に対して交差する方向から内部流路ユニットに挿入される。【選択図】図５
2020026630.tif 000002
【特許請求の範囲】
【請求項１】
内部流路が形成された内部流路ユニットと、
前記内部流路ユニットが挿入され、前記内部流路ユニットの挿入方向に直交する断面が円形である内周壁を有する外郭部材と、
前記挿入方向に対して交差する方向から前記内部流路ユニットに挿入される挿入部材と
を備えることを特徴とする吐水装置。
【請求項２】
前記挿入部材は、
前記内部流路に水、または湯を流入させる接続部材である
ことを特徴とする請求項１に記載の吐水装置。
【請求項３】
前記内部流路は、
前記湯を流通させる湯流通流路と、
前記水を流通させる水流通流路と
を備え、
前記挿入部材は、
前記湯流通流路に前記湯を流入させる第１接続部材と、
前記水流通流路に前記水を流入させる第２接続部材と
を備えることを特徴とする請求項２に記載の吐水装置。
【発明の詳細な説明】
【技術分野】
【０００１】
開示の実施形態は、吐水装置に関する。
【背景技術】
【０００２】
従来、湯と水とを混合可能な内部流路部材を外郭部材に挿入し、例えば、湯と水とを混合した混合水を吐水する吐水装置が知られている（例えば、特許文献１参照）。
【先行技術文献】
【特許文献】
【０００３】
【特許文献１】特開２００２−２２８０４０号公報
【発明の概要】
【発明が解決しようとする課題】
【０００４】
ところで、外郭部材に内部流路部材を挿入する吐水装置においては、外郭部材と内部流路部材との間に流路の一部が形成されるため、外郭部材を鉛などの有害金属を含有する合金で形成した場合に、全世界的に厳格化傾向にある溶出規制に適応できない恐れがある。
【０００５】
そこで本発明者らは、樹脂の内部流路部材で流路を完結させることによって、外郭部材からの金属成分の溶出を抑制する構造を考案した。外郭部材と内部流路部材との間に水を流さない吐水装置では、外郭部材と内部流路部材との間にシール部材などを設けずに、内部流路部材を外郭部材に挿入することができる。
【０００６】
しかしながら、このような吐水装置では、外郭部材に対して内部流路部材の位置が固定されない。そのため、組み立て性を向上させる点で改善の余地がある。
【０００７】
実施形態の一態様は、組み立て性を向上させる吐水装置を提供することを目的とする。
【課題を解決するための手段】
【０００８】
実施形態の一態様に係る吐水装置は、内部流路が形成された内部流路ユニットと、前記内部流路ユニットが挿入され、前記内部流路ユニットの挿入方向に直交する断面が円形である内周壁を有する外郭部材と、前記挿入方向に対して交差する方向から前記内部流路ユニットに挿入される挿入部材とを備えることを特徴とする。
【０００９】
内部流路ユニットの挿入方向に対して交差する方向に挿入部材を挿入することで、吐水装置を組み立てる場合に、外郭部材に対する内部流路ユニットの位置を固定することができ、組み立て性を向上させることができる。
【００１０】
また、前記挿入部材は、前記内部流路に水、または湯を流入させる接続部材であることを特徴とする。
【００１１】
挿入部材を、水、または湯を流入させる接続部材とすることで、吐水装置を組み立てる場合に、吐水装置の一部ではない他の固定部材を用いずに、外郭部材に対する内部流路ユニットの位置を固定することができる。
【００１２】
また、前記内部流路は、前記湯を流通させる湯流通流路と、前記水を流通させる水流通流路とを備え、前記挿入部材は、前記湯流通流路に前記湯を流入させる第１接続部材と、前記水流通流路に前記水を流入させる第２接続部材とを備えることを特徴とする。
【００１３】
吐水装置を組み立てる場合に、第１接続部材、および第２接続部材を用いて内部流路ユニットの位置を固定することができ、外郭部材に対して内部流路ユニットの位置をより固定することができる。
【発明の効果】
【００１４】
実施形態の一態様によれば、組み立て性を向上させることができる。
【図面の簡単な説明】
【００１５】
【図１】図１は、吐水装置の斜視図である。
【図２】図２は、吐水装置の正面図である。
【図３】図３は、図２のIII−III断面図である。
【図４】図４は、内部流路ユニットの一部の分解斜視図である。
【図５】図５は、図３における第１接続部材付近の拡大図である。
【発明を実施するための形態】
【００１６】
以下、添付図面を参照して、本願の開示する吐水装置の実施形態を詳細に説明する。なお、以下に示す実施形態によりこの発明が限定されるものではない。
【００１７】
吐水装置１は、湯と水とを混合可能な湯水混合水栓である。吐水装置１について、図１〜図３を参照し説明する。図１は、吐水装置１の斜視図である。図２は、吐水装置１の正面図である。図３は、図２のIII−III断面図である。
【００１８】
図１〜図３では、説明の便宜上、鉛直上向きを正方向とするＺ軸を含む３次元の直交座標系を図示している。なお、直交座標系は、他の図においても図示している。
【００１９】
直交座標系は、Ｘ軸の正方向を「左方」と規定し、Ｘ軸の負方向を「右方」と規定している。また、直交座標系は、Ｙ軸の正方向を「前方」と規定し、Ｙ軸の負方向を「後方」と規定している。また、直交座標系は、Ｚ軸の正方向を「上方」と規定し、Ｚ軸の負方向を「下方」と規定している。このため、以下の説明では、Ｘ軸方向を左右方向、Ｙ軸方向を前後方向、Ｚ軸方向を上下方向という場合がある。
【００２０】
吐水装置１は、水栓本体２と、温度調整ハンドル３と、流量調整ハンドル４と、内部流路ユニット５と、吐水管６と、ハンドシャワー（不図示）とを備える。吐水装置１は、吐水管６、またはハンドシャワーから、水と湯とを混合した混合水、または水を吐水する。
【００２１】
水栓本体２は、円筒状であり、左右方向に延設される。水栓本体２は、金属部材で構成される。水栓本体２には、左右方向に直交する断面が円形である内周壁２ａが形成される。水栓本体２の軸方向は、左右方向に一致する。なお、水栓本体２の外形は、円筒状に限られず、例えば、矩形状であってもよい。水栓本体２は、外郭部材を構成する。
【００２２】
水栓本体２には、内部流路ユニット５が左右方向に挿入される。すなわち、内部流路ユニット５の挿入方向は、左右方向に一致する。水栓本体２には、下方から吐水管６を内部流路ユニット５に取り付けるための第１挿入孔（不図示）が左右方向における中央付近に形成される。水栓本体２には、後方からシャワーホース７を内部流路ユニット５に取り付けるための第２挿入孔２ｂが左右方向における中央付近に形成される。
【００２３】
水栓本体２の左方端付近には、継ぎ手１０を介して後方から給湯管８が取り付けられ、第３挿入孔２ｃが形成される。第３挿入孔２ｃには、給湯管８から湯を供給する第１接続部材１８が挿入される。水栓本体２の右方端付近には、継ぎ手１１を介して後方から給水管９が取り付けられ、第４挿入孔２ｄが形成される。第４挿入孔２ｄには、給水管９から水を供給する第２接続部材１９が挿入される。
【００２４】
水栓本体２の左方端には、温度調整ハンドル３が取り付けられる。水栓本体２の右方端には、流量調整ハンドル４が取り付けられる。
【００２５】
温度調整ハンドル３は、水栓本体２に対して回動可能に取り付けられる。温度調整ハンドル３は、回動位置に応じて吐水管６、またはハンドシャワーから吐水される流体の種類を、水、または混合水に切り替える。具体的には、温度調整ハンドル３は、水に湯を混合するか否かを切り替える。また、温度調整ハンドル３は、吐水管６、またはハンドシャワーから混合水を吐水する場合に、回動位置に応じて混合水の温度を設定する。
【００２６】
流量調整ハンドル４は、水栓本体２に対して回動可能に取り付けられる。流量調整ハンドル４は、回動位置に応じて、水、または混合水の吐水先を、吐水管６、またはハンドシャワーに切り替える。また、流量調整ハンドル４は、回動位置に応じて、吐水管６、またはハンドシャワーから吐水される水、または混合水の流量を調整する。
【００２７】
ここで、内部流路ユニット５について、図３、および図４を参照し説明する。図４は、内部流路ユニット５の一部の分解斜視図である。
【００２８】
内部流路ユニット５は、給水管９から供給される水を水栓本体２と、内部流路ユニット５との間を流入させずに流すユニットである。すなわち、内部流路ユニット５は、内部で流路が完結するユニットである。内部流路ユニット５は、内部ケース１５と、温度調整機構１６と、流量調整機構１７とを備える。
【００２９】
内部ケース１５は、温度調整機構１６、および流量調整機構１７を収容する。内部ケース１５は、水栓本体２の内周壁２ａに合わせて、略円筒状に形成される。
【００３０】
内部ケース１５には、左後方に第１挿入孔１５ａが形成される。第１挿入孔１５ａには、給湯管８から湯を供給する第１接続部材１８が挿入される。内部ケース１５には、右後方に第２挿入孔１５ｂが形成される。第２挿入孔１５ｂには、給水管９から水を供給する第２接続部材１９が挿入される。
【００３１】
内部ケース１５には、水、湯、または混合水が流れる内部流路２０が形成される。内部流路２０は、内部流路ユニット５と水栓本体２との間に水を流さずに、吐水管６、またはハンドシャワーから水、または混合水を吐水させる流路である。内部流路２０は、湯流通流路２１と、水流通流路２２と、吐水流路２３とによって構成される。
【００３２】
湯流通流路２１は、第１接続部材１８を介して給湯管８から供給された湯が流れる。湯流通流路２１は、内部ケース１５と、温度調整機構１６の第２支持ケース３６と、温度調整機構１６の弁体３０と、隔離壁３７とによって形成される。
【００３３】
水流通流路２２は、第２接続部材１９を介して給水管９から供給された水が流れる。水流通流路２２は、第１流路２２ａと、第２流路２２ｂと、第３流路２２ｃとによって構成される。
【００３４】
第１流路２２ａは、内部ケース１５と、流量調整機構１７の支持ケース４２とによって形成され、第２接続部材１９から水が流入する。
【００３５】
第２流路２２ｂは、第１流路２２ａ、および第３流路２２ｃに連通する。第２流路２２ｂは、内部ケース１５の前方の中央付近に形成された凹部１５ｃと、凹部１５ｃを覆う蓋部１５ｄとによって形成される。蓋部１５ｄと凹部１５ｃとの間には、シール部材６０が設けられる。
【００３６】
蓋部１５ｄは、内部流路ユニット５が水栓本体２に挿入された状態では、水栓本体２の内周壁２ａによって押さえられている。そのため、第２流路２２ｂに水が流入し、第２流路２２ｂ内の水圧が大きくなった場合であっても、蓋部１５ｄは、内周壁２ａによって前方への移動が規制される。従って、第２流路２２ｂからの漏水の発生を防止することができる。
【００３７】
第２流路２２ｂは、右方に形成された第１流通孔１５ｅを介して第１流路２２ａに連通し、第１流路２２ａから水が流入する。また、第２流路２２ｂは、左方に形成された第２流通孔１５ｆを介して第３流路２２ｃに連通し、第３流路２２ｃに水を流入させる。
【００３８】
第３流路２２ｃは、内部ケース１５と、温度調整機構１６の第１支持ケース３５と、温度調整機構１６の弁体３０と、隔離壁３７とによって形成される。第３流路２２ｃは、左右方向において隔離壁３７を挟んで湯流通流路２１と隣り合うように形成される。
【００３９】
吐水流路２３は、湯流通流路２１や、水流通流路２２よりも内部ケース１５の径方向内側に、温度調整機構１６の第１支持ケース３５、第２支持ケース３６などによって形成される。吐水流路２３は、水流通流路２２の第３流路２２ｃに連通し、第３流路２２ｃから水が流入する。
【００４０】
また、吐水流路２３は、温度調整ハンドル３の回動に応じた温度調整機構１６の弁体３０の移動によって湯流通流路２１に連通可能である。吐水流路２３は、湯流通流路２１に連通し、湯流通流路２１から湯が流入した場合には、水と湯とを混合し、混合水を生成する。
【００４１】
吐水流路２３は、左右方向の中央付近で内部ケース１５に形成された第１吐水口（不図示）を介して吐水管６に連通可能である。また、吐水流路２３は、左右方向の中央付近で内部ケース１５に形成された第２吐水口１５ｇを介してシャワーホース７に連通可能である。吐水流路２３には、第１吐水口や、第２吐水口１５ｇを開閉する流量調整機構１７の切替弁４１が設けられる。
【００４２】
なお、湯流通流路２１、水流通流路２２、および吐水流路２３を構成する部材には、各流路２１〜２３から水などが漏れないようにシール部材が設けられている。
【００４３】
このように、内部流路ユニット５は、水流通流路２２を有しており、給水管９から供給される水を内部流路ユニット５の外部、具体的には、内部流路ユニット５と水栓本体２との間を流すことなく、吐水流路２３に流すことができる。
【００４４】
温度調整機構１６は、弁体３０と、感温ばね３１と、バイアスばね３２と、ライナ３３と、スピンドル３４とを備える。
【００４５】
感温ばね３１は、左右方向の中央側に設けられた第１支持ケース３５に収容される。感温ばね３１は、吐水流路２３に設けられる。感温ばね３１は、温度に応じてばね定数が変化するばねであり、例えば、形状記憶合金によって構成される。感温ばね３１は、弁体３０を左方に向けて付勢する。
【００４６】
バイアスばね３２は、第１支持ケース３５よりも左方に設けられた第２支持ケース３６に収容される。バイアスばね３２は、吐水流路２３に設けられる。バイアスばね３２は、温度に対してばね定数がほぼ一定のばねである。バイアスばね３２は、弁体３０を右方に向けて付勢する。
【００４７】
弁体３０は、第１支持ケース３５と、第２支持ケース３６との間に設けられる。弁体３０は、左右方向に移動可能となるように隔離壁３７を介して内部ケース１５に支持される。隔離壁３７は、左右方向において湯流通流路２１と、水流通流路２２の第３流路２２ｃとを隔離する。弁体３０には、左右方向に貫通する貫通孔（不図示）が形成され、水や、混合水を左右方向に流通させることができる。
【００４８】
弁体３０は、バイアスばね３２の付勢力と、感温ばね３１の付勢力と応じて左右方向に移動し、湯流通流路２１と吐水流路２３との連通状態を調整する。
【００４９】
具体的には、弁体３０は、感温ばね３１の付勢力がバイアスばね３２の付勢力よりも大きい場合には、左方に移動する。弁体３０が左方に移動し、第２支持ケース３６に当接すると、湯流通流路２１と吐水流路２３との連通が遮断される。この場合、湯は吐水流路２３に流入しない。
【００５０】
また、弁体３０は、バイアスばね３２の付勢力が感温ばね３１の付勢力よりも大きい場合には、右方に移動する。例えば、弁体３０が第２支持ケース３６に当接した状態から、バイアスばね３２の付勢力が大きくなり、第２支持ケース３６から離間すると、湯流通流路２１と吐水流路２３とが連通する。これにより、湯が吐水流路２３に流入する。
【００５１】
弁体３０は、第２支持ケース３６から離間した状態では、バイアスばね３２の付勢力と、感温ばね３１の付勢力とが釣り合う位置に保持される。弁体３０と第２支持ケース３６との距離が長くなるほど、吐水流路２３に流入する湯量が多くなる。また、弁体３０と第２支持ケース３６との距離が長くなるほど、弁体３０と第１支持ケース３５との距離が短くなり、吐水流路２３に流入する水量が少なくなる。
【００５２】
ライナ３３は、弁体３０とは反対側のバイアスばね３２の端に当接し、スピンドル３４を介して温度調整ハンドル３に接続される。スピンドル３４は、第２支持ケース３６に回動可能に支持され、温度調整ハンドル３の回動運動をライナ３３の左右方向における直進運動に変換する。そのため、ライナ３３は、温度調整ハンドル３の回動に応じて、左右方向に移動する。
【００５３】
温度調整機構１６では、温度調整ハンドル３の回動位置に合わせて、ライナ３３が左右方向に移動し、バイアスばね３２の左方端の位置が変更される。そのため、温度調整機構１６は、温度調整ハンドル３の回動位置に合わせて、バイアスばね３２の付勢力と、感温ばね３１の付勢力とが釣り合う弁体３０の位置を変更することができる。従って、温度調整機構１６は、混合水を吐水する場合に、混合水の温度を、温度調整ハンドル３の回動位置に応じた設定温度とすることができる。
【００５４】
また、混合水を吐水する場合に、例えば、湯の温度が変わり混合水の温度が変化すると、混合水の温度に応じて感温ばね３１が伸縮し、弁体３０が左右方向に移動し、弁体３０の釣り合い位置が自動的に変更される。これにより、吐水流路２３に流入する湯量、および水量が調整され、混合水の温度が自動的に調整される。
【００５５】
流量調整機構１７は、回動軸４０と、切替弁４１とを備える。回動軸４０は、支持ケース４２に回動可能に支持される。回動軸４０の一方の端は、流量調整ハンドル４に接続され、もう一方の端は、切替弁４１に接続される。
【００５６】
切替弁４１は、吐水流路２３に設けられる。切替弁４１は、有底の円筒状であり、流量調整ハンドル４の回動に合わせて回動軸４０とともに回動する。切替弁４１には、連通口４１ａが形成される。切替弁４１は、内部ケース１５に形成された第１吐水口、および第２吐水口１５ｇと向かい合うように設けられる。切替弁４１は、流量調整ハンドル４の回動に合わせて回動することで、連通口４１ａと、第１吐水口、および第２吐水口１５ｇとの連通状態を切り替える。
【００５７】
具体的には、流量調整ハンドル４が所定の止水位置にある場合には、連通口４１ａは、第１吐水口、および第２吐水口１５ｇとは連通しない。そのため、流量調整ハンドル４が所定の止水位置にある場合には、水、または混合水は、吐水管６、およびハンドシャワーから吐水されない。
【００５８】
流量調整ハンドル４が、止水位置から後方に向けて回動した場合には、例えば、連通口４１ａが第２吐水口１５ｇと連通する。これにより、水、または混合水は、第２吐水口１５ｇからシャワーホース７に流入し、ハンドシャワーから吐水される。
【００５９】
また、流量調整ハンドル４が、止水位置から前方に向けて回動した場合には、例えば、連通口４１ａが第１吐水口と連通する。これにより、水、または混合水は、第１吐水口から吐水管６に流入し、吐水管６から吐水される。
【００６０】
切替弁４１は、流量調整ハンドル４の回動位置に応じて連通口４１ａと、第１吐水口、または第２吐水口１５ｇとが連通する面積を変更することができる。すなわち、流量調整機構１７は、流量調整ハンドル４の回動位置に合わせて吐水管６、またはハンドシャワーから吐水される水、または混合水の流量を調整することができる。
【００６１】
次に、継ぎ手１０、および第１接続部材１８について図５を参照し説明する。図５は、図３における第１接続部材１８付近の拡大図である。
【００６２】
継ぎ手１０は、円筒状に形成され、金属部材によって構成される。継ぎ手１０は、給湯管８を水栓本体２に取り付ける。すなわち、継ぎ手１０は、給湯管８と水栓本体２とを接続する。継ぎ手１０には、第１接続部材１８が挿入される。
【００６３】
継ぎ手１０は、筒部１０ａと、ナット１０ｂとを備える。筒部１０ａは、水栓本体２の第３挿入孔２ｃを囲むように設けられ、水栓本体２に溶接され、水栓本体２に取り付けられる。筒部１０ａは、水栓本体２から後方に向けて突出する。
【００６４】
ナット１０ｂは、筒部１０ａの外周に設けられ、筒部１０ａと給湯管８とを締結する。継ぎ手１０では、径方向、すなわち前後方向に直交する面方向へのナット１０ｂの移動が許容される。これにより、給湯管８と筒部１０ａとの位置が前後方向に直交する面方向にずれた場合でも、ナット１０ｂによって筒部１０ａと給湯管８とを締結することができる。
【００６５】
なお、継ぎ手１０の形状は、円筒状に限定されるものではない。例えば、継ぎ手１０は、筒部１０ａの一部を矩形筒状としてもよい。
【００６６】
第１接続部材１８は、水栓本体２や、継ぎ手１０などの金属部材よりも熱伝導率が小さい断熱部材である。第１接続部材１８は、例えば、樹脂によって構成される。第１接続部材１８は、給湯管８と内部流路ユニット５とを接続し、後方から前方に向けて湯を流し、給湯管８から湯流通流路２１に湯を流入させる。第１接続部材１８を断熱部材によって構成することで、継ぎ手１０の温度上昇を抑制することができ、水栓本体２への伝熱を抑制することができる。従って、使用者が触れる可能性が高い水栓本体２の温度上昇を抑制することができる。
【００６７】
第１接続部材１８は、左右方向に対して交差する方向から内部流路ユニット５に挿入される。具体的には、第１接続部材１８は、後方から内部流路ユニット５に挿入される。第１接続部材１８は、挿入部材を構成する。第１接続部材１８を左右方向に対して交差する方向から内部流路ユニット５に挿入することで、吐水装置１を組み立てる場合に、水栓本体２に対する内部流路ユニット５の位置を固定することができ、吐水装置１の組み立て性を向上させることができる。また、吐水装置１の一部を用いて水栓本体２に対する内部流路ユニット５の位置を固定することができる。
【００６８】
第１接続部材１８は、本体部５０と、挿入部５１と、縮径部５２と、ストッパー５３と、フランジ５４とを備える。
【００６９】
本体部５０は、円筒状に形成され、内部に逆止弁５５が設けられる。逆止弁５５は、給湯管８から湯流通流路２１への湯の流れを許容し、第１流路２２ａから給湯管８への湯の流れを禁止する。
【００７０】
挿入部５１は、円筒状に形成され、本体部５０よりも径が小さい。挿入部５１は、内部流路ユニット５の内部ケース１５に形成された第１挿入孔１５ａに挿入される。挿入部５１の外周には、シール部材６１が設けられる。本体部５０と挿入部５１との間には、挿入部５１側となるにつれて径が小さくなる縮径部５２が形成される。
【００７１】
ストッパー５３は、縮径部５２の前端から左方に向けて突出する。ストッパー５３は、左方から水栓本体２に挿入される挟持部材６２と内部ケース１５とによって挟持され、第１接続部材１８の後方への抜けを防止する。
【００７２】
フランジ５４は、本体部５０の後端から本体部５０の径方向外側、すなわち継ぎ手１０に向けて突出する。フランジ５４は、本体部５０の全周に形成される。フランジ５４と給湯管８との間には、シール部材６３が設けられる。フランジ５４は、給湯管８側の面、すなわち後方の面がシール部材６３に当接し、水栓本体２側の面、すなわち前方の面が継ぎ手１０の筒部１０ａに当接する。
【００７３】
フランジ５４は、継ぎ手１０によって給湯管８と水栓本体２とが接続された場合に、給湯管８と継ぎ手１０の筒部１０ａとによってシール部材６３を介して挟持される。これにより、第１接続部材１８は、継ぎ手１０の筒部１０ａによって前方への移動が規制される。そのため、第１接続部材１８の本体部５０や、挿入部５１に対して前方へ押す力が発生することを抑制し、本体部５０や、内部流路ユニット５が変形することを抑制することができる。
【００７４】
また、フランジ５４によってシール部材６３のつぶし代を確保することができ、湯の漏れを防止することができる。
【００７５】
上記したように、継ぎ手１０は、筒部１０ａと給湯管８との位置が前後方向に直交する面方向へずれた場合であっても、筒部１０ａと給湯管８とを締結するように構成されている。そのため、フランジ５４と給湯管８との位置が前後方向に直交する面方向にずれる場合がある。このような場合であっても、シール部材６３がフランジ５４と給湯管８とによって前後方向で挟持されることで、湯の漏れを防止することができる。
【００７６】
すなわち、シール部材６３は、前後方向に直交するフランジ５４の面と、給湯管８の前端の面との間に設けられ、湯の流れ方向である前後方向に直交する面方向へのずれを許容する面シールである。
【００７７】
継ぎ手１０、および第１接続部材１８では、第１接続部材１８の本体部５０と継ぎ手１０の筒部１０ａとの間に、第１接続部材１８における湯の流れ方向に対して直交する面方向、すなわち本体部５０の径方向（継ぎ手１０の径方向）において第１所定隙間が形成される。また、第１接続部材１８のフランジ５４と継ぎ手１０のナット１０ｂとの間には本体部５０の径方向において第１所定隙間よりも大きい第２所定隙間が形成される。第１所定隙間、および第２所定隙間は、第１接続部材１８や、継ぎ手１０の寸法公差や、継ぎ手１０の筒部１０ａを水栓本体２に溶接する際に生じた取り付け誤差よりも大きい。
【００７８】
これにより、第１接続部材１８や、継ぎ手１０の寸法公差や、継ぎ手１０の筒部１０ａを水栓本体２に溶接する際に生じた取り付け誤差が生じた場合でも、継ぎ手１０に第１接続部材１８を挿入し、第１接続部材１８を内部流路ユニット５に取り付けることができる。
【００７９】
なお、取り付け誤差などが生じた場合でも、シール部材６３によって湯の漏れを防止することができる。
【００８０】
また、第１所定隙間、および第２所定隙間を設けることで、水栓本体２への伝熱を抑制することができ、水栓本体２の温度上昇を抑制することができる。
【００８１】
第２接続部材１９は、第１接続部材１８と同様の構成であり、詳しい説明は省略する。なお、第２接続部材１９は、ストッパー５３が右方に向けて突出する。第２接続部材１９を第１接続部材１８と同様の構成とすることで、同じ部材を第１接続部材１８、および第２接続部材１９として用いることができる。なお、第２接続部材１９は、断熱部材ではなく、例えば、金属部材によって構成されてもよい。
【００８２】
上記実施形態の内部流路ユニット５を有さない比較例に係る吐水装置では、例えば、水栓本体と流路ユニットとの間に水が流れる流路が形成される。そして、比較例に係る吐水装置では、水栓本体と流路ユニットとの間を流れた水を流路ユニットに流入させる。
【００８３】
しかし、比較例に係る吐水装置は、吐水される水などに、水栓本体などから鉛が溶出するおそれがある。
【００８４】
また、比較例に係る吐水装置は、水栓本体と流路ユニットとの間に形成される流路から水が漏れないように水栓本体と流路ユニットとの間にシール部材が設けられる。比較例に係る吐水装置は、水栓本体に対する流路ユニットの挿入性を向上させるために、例えば、シール部材を圧縮して冷凍した状態でシール部材と流路ユニットとを水栓本体に挿入している。
【００８５】
しかし、比較例に係る吐水装置は、シール部材を圧縮して冷凍する装置などが必要となり、コストが高くなる。
【００８６】
これに対し、実施形態に係る吐水装置１は、内部流路ユニット５を用いることで、鉛の溶出を抑制することができる。また、実施形態に係る吐水装置１は、水栓本体２に内部流路ユニット５を容易に挿入することができ、コストを抑制することができる。
【００８７】
また、実施形態に係る吐水装置１は、内部流路ユニット５の挿入方向である左右方向に対して交差する方向から内部流路ユニット５に挿入される第１接続部材１８を備える。これにより、水栓本体２に対する内部流路ユニット５の位置を固定することができる。そのため、吐水装置１を組み立てる場合に、水栓本体２に対する内部流路ユニット５の左右方向の移動、水栓本体２に対する内部流路ユニット５の回動を抑制することができる。従って、吐水装置１は、組み立て性を向上させることができる。
【００８８】
また、実施形態に係る吐水装置１は、例えば、湯流通流路２１に湯を流入させる第１接続部材１８を内部流路ユニット５に挿入する。これにより、吐水装置１を組み立てる場合に、吐水装置１の一部ではない他の固定部材を用いずに、水栓本体２に対する内部流路ユニット５の位置を固定することができる。
【００８９】
また、実施形態に係る吐水装置１は、第１接続部材１８に加えて、第２接続部材１９を内部流路ユニット５に挿入することで、水栓本体２に対する内部流路ユニット５の位置をより固定することができ、組み立て性を向上させることができる。
【００９０】
変形例に係る吐水装置１は、例えば、第１接続部材１８と内部流路ユニット５との間に前後方向に直交する面方向へのずれを許容するシール部材を設けてもよい。この場合、例えば、変形例に係る吐水装置１は、本体部５０と挿入部５１との間に段部を設け、段部と内部流路ユニット５との間にシール部材を設ける。これにより、変形例に係る吐水装置１は、第１接続部材１８と給湯管８との接続位置が前後方向に直交する面方向にずれた場合であっても、湯の漏れを防止することができる。
【００９１】
このように、吐水装置１は、例えば、第１接続部材１８と給湯管８との間、第１接続部材１８と内部流路ユニット５との間の少なくとも一方に、前後方向に直交する面方向へのずれを許容するシール部材を設ける。これにより、吐水装置１は、第１接続部材１８と給湯管８との接続位置が前後方向に直交する面方向にずれた場合であっても、湯の漏れを防止することができる。
【００９２】
また、変形例に係る吐水装置１は、内部流路ユニット５に挿入される部材として、給水管９の接続部材を用いてもよい。これによっても、変形例に係る吐水装置１は、吐水装置１を組み立てる場合に、水栓本体２に対する内部流路ユニット５の位置を固定することができる。
【００９３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９４】
１      吐水装置
２      水栓本体（外郭部材）
２ａ    内周壁
５      内部流路ユニット
１０    継ぎ手
１１    継ぎ手
１８    第１接続部材（挿入部材）
１９    第２接続部材（挿入部材）
２０    内部流路
２１    湯流通流路
２２    水流通流路
２３    吐水流路
【図１】
2020026630.tif 000003
【図２】
2020026630.tif 000004
【図３】
2020026630.tif 000005
【図４】
2020026630.tif 000006
【図５】
2020026630.tif 000007